(57)【特許請求の範囲】
【請求項１】
ジフルオロメタン冷媒を吸入圧縮し、摺動部を有し、冷凍機油が封入された密閉型電動圧縮機と、前記圧縮機から吐出された冷媒を放熱する熱交換器と、前記熱交換器から流出する冷媒を減圧する減圧器と、前記減圧器にて減圧された冷媒を吸熱させる熱交換器を介し循環する冷凍サイクルを備えた冷凍装置において、前記冷凍機油の粘度圧力係数が１３．２GPa-1以上１３．５GPa-1以下である下記化学式（１）で表わされる末端変性ポリアルキレングリコール（式中、R1およびR3は、炭素数１から４のアルキル基、または、炭素数２〜５のアシル基であり、どちらか一方にアシル基を含み、R2は、炭素数２から４のアルキレン基を示す）であり、前記冷媒と前記冷凍機油との低温側臨界溶解温度が−３０℃以下であることを特徴とする冷凍装置。
〔化１〕  R1−(O−R2)n−OR3          ・・・・・・・・・・・（1）
【請求項２】
請求項１において、前記圧縮機が、渦巻状ラップを有する固定スクロール部材と、前記固定スクロール部材と同一形状のラップを有する旋回スクロール部材を有するスクロール式圧縮機であり、前記固定スクロール部材又は前記旋回スクロール部材の少なくとも一方がアルミニウム合金からなることを特徴とする冷凍装置。
【請求項３】
摺動部を有する冷媒圧縮部を備え、冷媒であるジフルオロメタンと、冷凍機油とを封入した密閉型電動圧縮機において、前記冷凍機油の粘度圧力係数が１３．２GPa-1以上１３．５GPa-1以下である下記化学式（１）で表わされる末端変性ポリアルキレングリコール（式中、R1およびR3は、炭素数１から４のアルキル基、または、炭素数２〜５のアシル基であり、どちらか一方にアシル基を含み、R2は、炭素数２から４のアルキレン基を示す）であり、前記冷媒と前記冷凍機油との低温側臨界溶解温度が−３０℃以下であることを特徴とする密閉型電動圧縮機。
〔化１〕  R1−(O−R2)n−OR3          ・・・・・・・・・・・（１）
【請求項４】
請求項３において、渦巻状ラップを有する固定スクロール部材と、前記固定スクロール部材と同一形状のラップを有する旋回スクロール部材を有するスクロール式圧縮機であり、前記固定スクロール部材又は前記旋回スクロール部材の少なくとも一方がアルミニウム合金からなることを特徴とする冷凍空調用密閉型電動圧縮機。
【発明の詳細な説明】
【技術分野】
【０００１】
本発明は、ヒートポンプサイクルを用いた冷凍装置及び密閉型電動圧縮機に関する。
【背景技術】
【０００２】
冷凍空調装置に使用される冷媒のＲ４１０Ａ[ＨＦＣ（Ｈｙｄｒｏｆｌｕｏｒｏｃａｒｂｏｎｓ）３２／ＨＦＣ１２５（５０／５０重量％）]やＲ４０４Ａ[ＨＦＣ１２５／ＨＦＣ１４３ａ／ＨＦＣ１３４ａ（４４／５２／４重量％）]は、ＧＷＰ（Ｇｌｏｂａｌ  Ｗａｒｍｉｎｇ  Ｐｏｔｅｎｔｉａｌ）がＲ４１０Ａ＝１９２４、Ｒ４０４Ａ＝３９４０と高いため、ＧＷＰが低い代替冷媒を用いた冷凍空調装置の開発が急務である。
【０００３】
この代替冷媒としては、熱物性、低ＧＷＰ、低毒性、低可燃性などの理由から、ジフルオロメタン（ＨＦＣ３２）が候補とされている。その他の冷媒としては、２，３，３，３−テトラフルオロプロペン（ＨＦＯ１２３４ｙｆ（Ｈｙｄｒｏｆｌｕｏｒｏｏｌｅｆｉｎ）（ＧＷＰ＝０）、１，３，３，３−テトラフルオロプロペン（ＨＦＯ１２３４ｚｅ）（ＧＷＰ＝１）もしくはＨＦＯとＨＦＣ３２、ＨＦＣ１２５、ＨＦＣ１３４ａなどとの混合冷媒やプロパン、プロピレンなどのハイドロカーボン、及びフルオロエタン（ＨＦＣ１６１）、ジフルオロエタン（ＨＦＣ１５２ａ）などの低ＧＷＰのハイドロフルオロカーボンが挙げられている。これらの冷媒候補の中で、可燃性、冷暖房能力、非共沸冷媒の温度勾配による機器効率低下、取り扱い易さ、機器構成の変更（開発）などの観点から、ジフルオロメタン（ＨＦＣ３２）が選ばれ、いくつかの空調装置が製品化されている。
【０００４】
冷凍空調装置用の冷凍機油は、密閉型電動圧縮機に使用され、その摺動部の潤滑、密封、冷却等の役割を果たすものである。冷凍空調用冷凍機油で最も重要な特性は、冷媒との相溶性であり、室外機に配置される圧縮機内で液冷媒と冷凍機油の二層分離が発生すると、各摺動部に分離した液冷媒が供給されてしまい、潤滑不良を起こす懸念がある。さらに、圧縮機運転中に機械的な作用により冷凍機油がミスト状となってサイクル側に吐出されるが、相溶性が劣ると、サイクルの低温部で冷凍機油が滞留してしまい、圧縮機への油戻り量が減少する。特に、パッケージエアコンや冷凍機では、サイクルを構成する配管が長いため、冷媒との相溶性に優れる冷凍機油を用いる必要がある。冷媒及び油の二層分離特性は、油濃度に対する二層分離温度曲線で評価できる。低温側の二層分離特性は、上に凸の曲線となり、曲線の上側が相溶、下側で二層分離状態を表している。この曲線の極大値を低温側二層分離温度と呼び、この温度が低いほど相溶性が良いことを示す。ジフルオロメタンを冷媒に用いたパッケージエアコンや冷凍機では、この低温側臨界溶解温度が−３０℃以下である必要がある。
【０００５】
ジフルオロメタンと適合する冷凍空調用冷凍機油を用いた冷凍空調装置としては、特許文献１に記載されたジフルオロメタンに対してポリビニルエーテル油を用いた冷凍装置がある。しかし、ポリビニルエーテル油は、ジフルオロメタンとの低温側臨界溶解温度が−３０℃以下にならず、相溶性が不十分である。また、特許文献２と特許文献３には、ジフルオロメタンとポリオールエステル油を用いた組成物が開示されているが、トリクレジルホスフェートなどの化学的に安定な極圧添加剤が有効に作用しないために圧縮機摺動部の摩耗抑制が難しい。さらに、圧縮機の高効率化を目的とした転がり軸受を有する圧縮機においては、ポリオールエステル油の圧力粘度係数が小さいために転がり軸受の疲労寿命が低下してしまう。また、スクロール式圧縮機の軽量化を目的としたスクロールラップのアルミニウム合金化では、ラップ間がトライボケミカル反応によって大幅に摩耗する問題があった。
【先行技術文献】
【特許文献】
【０００６】
【特許文献１】特許３９５６５８９号公報
【特許文献２】特開２０１０−２３５９６０号公報
【特許文献３】特開２００２−１２９１７８号公報
【発明の概要】
【発明が解決しようとする課題】
【０００７】
パッケージエアコンや冷凍機では、サイクルを構成する配管が長く、動作環境が低温になるために、現状のジフルオロメタンと冷凍機油との組合せにおいて二層分離を起こしてしまい、サイクルの低温部で油が滞留して、圧縮機への油戻り量が減少してしまう。また、圧縮機内でもジフルオロメタン液と冷凍機油の二層分離が発生し、密度が低い油リッチ相が上層に、密度が高い液冷媒リッチ相が下層になるために、圧縮機の下部に存在する給油口から潤滑性の劣る液冷媒リッチ相が各圧縮機摺動部に供給されてしまい、潤滑不良を起こす懸念がある。さらに、圧縮機回転軸に転がり軸受を持つ構造において、圧力粘度係数の低い冷凍機油では転がり疲労寿命を低下させてしまう問題を生じる。
【０００８】
本発明の目的は、ジフルオロメタンを使用した冷凍空調装置及び密閉型電動圧縮機において、圧縮機摺動部材の摩耗を抑制し、転がり軸受の疲労寿命を向上させることにある。
【課題を解決するための手段】
【０００９】
上記目的を達成するために、例えば特許請求の範囲に記載の構成を採用する。
【発明の効果】
【００１０】
本発明によれば、ジフルオロメタンを使用した冷凍空調装置及び密閉型電動圧縮機において、圧縮機摺動部材の摩耗を抑制し、転がり軸受の疲労寿命を向上させることができる。
【図面の簡単な説明】
【００１１】
【図１】空調装置の構成を示す概略図である。
【図２】冷凍機の構成を示す概略図である。
【図３】冷凍空調装置のスクロール式密閉型圧縮機を示す断面図である。
【発明を実施するための形態】
【００１２】
以下、本発明の一実施形態に係る冷凍空調装置及び密閉型電動圧縮機について説明する。
【００１３】
前記した冷凍空調装置に用いる密閉型電動圧縮機は、摺動部を有する冷媒圧縮部を備え、ジフルオロメタンと、冷凍機油とを封入したものである。圧縮機としては、スクロール式圧縮機の他、ロータリー式圧縮機、ツインロータリー式圧縮機、２段圧縮ロータリー式圧縮機、及びローラとベーンが一体化されたスイング式圧縮機などがあげられる。実施例の冷媒は地球温暖化係数（ＧＷＰ）が６７７のジフルオロメタンであり、前記冷凍機油は圧力粘度係数が、１０GPa-1以上である下記化学式（１）で表わされる末端変性ポリアルキレングリコール（式中、R1およびR3は、炭素数１から４のアルキル基、または、炭素数２〜５のアシル基であり、どちらか一方にアシル基を含み、R2は、炭素数２から４のアルキレン基を示す）であり、ジフルオロメタンとの低温側臨界溶解温度が−３０℃以下である冷凍機油を封入した。
【００１４】
〔化１〕  R1−(O−R2)n−OR3          ・・・・・・・・・・・（１）
実施例の空調装置、冷凍機に用いる冷凍機油の末端変性ポリアルキレングリコールは、粘度指数が高いために、使用する粘度グレードが圧縮機の種類により異なるが、スクロール式圧縮機では、４０℃における粘度が３２〜６８ｍｍ2／ｓの範囲が好ましい。また、ロータリー式圧縮機では、４０℃における粘度が１５〜５６ｍｍ2／ｓの範囲が好ましい。
【００１５】
前記した冷凍機油に潤滑性向上剤、酸化防止剤、酸捕捉剤、消泡剤、金属不活性剤等を添加しても全く問題はない。潤滑性向上剤としては、極圧添加剤が有効であり、熱化学的に安定な第三級ホスフェート類（トリクレジルホスフェートなど）を基油に対して２．０重量％以下配合することが好ましい。酸化防止剤としては、フェノール系であるＤＢＰＣ（２，６−ジ−ｔ−ブチル−ｐ−クレゾール）が好ましい。酸捕捉剤としては、一般に、エポキシ環を有する化合物である脂肪族のエポキシ系化合物やカルボジイミド系化合物が使用される。
【００１６】
図１は、本実施例で用いた空調装置の概略を示したものである。空調装置は、室外機１と室内機２とで構成されている。
【００１７】
室外機１には、圧縮機３、四方弁４、室外熱交換器５、膨張手段６（膨張部）及びアキュムレータ８が内蔵されている。圧縮機３は、モータが内蔵され摺動部を有する冷媒圧縮部を備えたものである。また、室内機2には、室内熱交換器７が内蔵されている。
【００１８】
室内を冷房する場合、圧縮機３にて断熱的に圧縮された高温高圧の冷媒ガスは、吐出パイプ及び四方弁４を通って室外熱交換器５（凝縮手段として使用される）で冷却され、高圧の液冷媒となる。この冷媒は、膨張手段６（例えば、温度式膨張弁など）で膨張し、僅かにガスを含む低温低圧液となって室内熱交換器７（蒸発手段として使用される）に至り、室内の空気から熱を得て低温ガスの状態で再び四方弁４を通ってからアキュレータ８に入る。室内熱交換器で蒸発できなかった低温低圧の液冷媒はアキュムレータ８において分離され、低温低圧ガスが圧縮機３に至る。室内を暖房する場合は、四方弁４によって冷媒の流れが逆方向に変えられ、逆作用となる。
【００１９】
図２は、本実施例で用いた冷凍機の概略を示したものである。冷凍機は、室外機９とショーケースなどのクーラーユニット１０とで構成されている。
【００２０】
室外機９には、圧縮機１１、凝縮器１２、過冷却器１３、膨張手段１４，１７（膨張部）及びアキュムレータ１６が内蔵されている。圧縮機１１は、モータが内蔵され摺動部を有する冷媒圧縮部を備えたものである。また、クーラーユニット１０には、蒸発器１５が内蔵されている。
【００２１】
圧縮機１１で断熱的に圧縮された高温高圧の冷媒ガスは、吐出パイプを通って凝縮器１２で冷却され、高圧の液冷媒となって過冷却器１３にて過冷却されてから膨張手段１４（例えば、温度式膨張弁など）で膨張し、僅かにガスを含む低温低圧液となってクーラーユニット１０内に送られる。次いで、蒸発器１５で空気から熱を得て低温ガスの状態でアキュレータ１６を通り、圧縮機１１に戻る。冷凍機用圧縮機は冷媒圧縮比が１０〜２０程度と高く、冷媒ガスが高温になりやすい。このため凝縮器１２を出た液冷媒を分岐させ、膨張手段１７（例えば、キャピラリーチューブなど）によってガスを含む低温低圧液を得て主系統にある高圧の液冷媒を過冷却器１３でさらに冷却した後に、圧縮機１１に戻して吐出温度を低くさせている。
【００２２】
圧縮機３，１１としては、スクロール式密閉型圧縮機を用いた。図３は、スクロール式密閉型圧縮機の概略構造を示したものである。
【００２３】
圧縮機３，１１は、端板に垂直に設けられた渦巻状ラップ１８を有する固定スクロール部材１９と、この固定スクロール部材１９と実質的に同一形状のラップ２０を有する旋回スクロール部材２１と、旋回スクロール部材２１を支持するフレーム２２と、旋回スクロール部材２１を旋回運動させるクランクシャフト２３と、電動モータ２４と、これらを内蔵する圧力容器２５とを含む。渦巻状ラップ１８とラップ２０とは、互いに向い合わせにして噛み合わせ、圧縮機構部を形成してある。旋回スクロール部材２１は、クランクシャフト２３によって旋回運動させると、固定スクロール部材１９と旋回スクロール部材２１との間に形成される圧縮室２６のうち、最も外側に位置している圧縮室２６が旋回運動に伴って容積を次第に縮小しながら、固定スクロール部材１９及び旋回スクロール部材２１の中心部に向かって移動していく。圧縮室２６が固定スクロール部材１９及び旋回スクロール部材２１の中心部近傍に達すると、圧縮室２６が吐出口２７と連通し、圧力容器２５の内部に吐出された圧縮ガスが吐出パイプ２８から圧縮機３，１１の外部に吐出される。
【００２４】
圧縮機３，１１においては、一定速あるいは図示していないインバータによって制御された電圧に応じた回転速度でクランクシャフト２３が回転し、圧縮動作を行う。また、電動モータ２４の下方には、油溜め部２９が設けられており、油溜め部２９の油は、圧力差によってクランクシャフト２３に設けられた油孔３０を通って、旋回スクロール部材２１とクランクシャフト２３との摺動部、主軸受３１や副軸受３２の転がり軸受等の潤滑に供給される。
【００２５】
以下、本発明の実施例と比較例について説明する。
〔実施例１,2〕
実施例1,2の冷凍機油はそれぞれ以下のとおりである。
（Ａ）ポリアルキレングリコール油（ＰＡＧ）
（両末端がエタノイル基のポリプロピレングリコール油）
（Ｂ）ポリアルキレングリコール油（ＰＡＧ）
（両末端がエタノイル基とメチルオキシ基のポリプロピレングリコール油）
（比較例１〜７）
（Ｃ）ポリアルキレングリコール油（ＰＡＧ）
（両末端がヒドロキシル基のポリプロピレングリコール油）
（Ｄ）ポリアルキレングリコール油（ＰＡＧ）
（両末端がメチルオキシ基のポリプロピレングリコール油）
（Ｅ）ポリアルキレングリコール油（ＰＡＧ）
（両末端がメチルオキシ基とヒドロキシル基のポリプロピレングリコール油）
（Ｆ）ポリアルキレングリコール油（ＰＡＧ）
（両末端がメチルオキシ基のポリエチレングリコールとポリプロピレングリコール共重合油）
（Ｇ）ポリビニルエーテル油（ＰＶＥ）
（アルコキシビニルの重合体であり、アルコキシ基がエチルオキシ基のエーテル油）
（Ｈ）ヒンダードタイプポリオールエステル油（Ｈ−ＰＯＥ）
（ペンタエリスリトール／ジペンタエリスリトール系の２−メチルブタン酸／２−エチルヘキサン酸の混合脂肪酸エステル油）
（Ｉ）ヒンダードタイプポリオールエステル油（Ｈ−ＰＯＥ）
（ジペンタエリスリトール系のペンタン酸／２−メチルブタン酸の混合脂肪酸エステル油）
（低温側臨界溶解温度）
冷凍空調用圧縮機では冷媒と冷凍機油とが封入される。冷媒と冷凍機油との相溶性は、前述したように冷凍サイクルから圧縮機への油戻り（圧縮機内部の油量を確保）あるいは潤滑性等圧縮機の信頼性やさらには熱交換効率を保証する面で重要な特性の一つである。
【００２６】
ジフルオロメタンと冷凍機油との相溶性評価はＪＩＳ  Ｋ  ２２１１に準じて測定した。耐圧ガラス容器に任意の油濃度において冷媒を封入し、温度を変化させた状態での内容物の観察を行った。内容物が白濁していれば二層分離、透明であれば溶解と判定した。この二層に分離する温度の油濃度依存性は一般に極大値を有する曲線となる。この極大値を低温側臨界溶解温度とした。
【００２７】
（粘度圧力係数）
落体式高圧粘度計を用いて２０℃〜１６０℃、１〜１３０ＭＰａにおける高圧粘度を測定し、以下の文献に従い６０℃における粘度圧力係数を算出した。
【００２８】
参考文献：畑ら，トライボロジスト，５５（９），６３５（２０１０）．
（転がり軸受疲労寿命）
転がり軸受の疲労寿命は、ＩＰ３０５／７９（The Institute of Petroleum）におけるユニスチール試験により評価した。回転速度１５００／min，荷重４８００Ｎ，軸受Ｎｏ．５１１１０，油量１５０ｍｌ，油温１２０℃において１１件試験を実施し、ワイブル分布により転がり軸受の疲労寿命を平均寿命時間として算出した。
【００２９】
各冷凍機油の低温側臨界溶解温度、粘度圧力係数、転がり軸受の疲労平均寿命結果を表１に示す。実施例１，２は、粘度圧力係数が１３GPa-1以上で転がり軸受疲労平均寿命が１５０時間を超えることがわかった。冷凍空調装置において冷凍サイクルから圧縮機への油戻りあるいは冷媒高濃度液の供給による潤滑性の低下防止、さらに冷凍サイクルの熱交換効率低下防止のために必要な低温側臨界溶解温度を−３０℃以下にしなくてはならない。以上のような総合的にみて冷凍空調装置並びに圧縮機信頼性を満たすには実施例１，２の冷凍機油が必要である。これに対して、比較例１〜７では、いずれかの特性が劣る結果となっており、ジフルオロメタンを用いた密閉型圧縮機用の冷凍機油としては、不十分であることがわかった。
【００３０】
【表１】
0006522345.tif 000002
【００３１】
〔実施例３〕
本実施例は、前記したスクロール式密閉型圧縮機を搭載したパッケージエアコン１４．０ｋＷ機種を用いて、高速高負荷条件における３０００時間耐久試験を実施したものである。圧縮機の回転速度は、６０００min-1で運転を行った。モータの鉄心とコイルとの絶縁には、２５０μｍの耐熱ＰＥＴフィルム（Ｂ種１３０℃）を用い、コイルの主絶縁には、ポリエステルイミド−アミドイミドのダブルコートを施した二重被覆銅線を用いた。冷媒には、ジフルオロメタンを用い、サイクルに４０００ｇ封止した。冷凍機油には、実施例１で用いた４０℃における動粘度が４６ｍｍ2／ｓのポリアルキレングリコール油を予め圧縮機内に１０００ｍｌ封入した。この冷凍機油には、添加剤としてエポキシ系酸捕捉剤を０．５重量％、酸捕捉剤としてＤＢＰＣ（２，６−ジ−ｔ−ブチル−ｐ−クレゾール）を０．２５重量％、極圧添加剤としてトリクレジルホスフェートを１．０重量％配合した。この実施形態におけるパッケージエアコンを３０００時間運転後において、搭載したスクロール式密閉型圧縮機を解体し、摩耗の状態や転がり軸受のフレーキング発生状態について調べた。
【００３２】
実機を用いた耐久試験の結果は次のようであった。スクロール式密閉型圧縮機の主軸受、副軸受の転がり軸受の転動体や内輪外輪の軌道面にフレーキングが見られず、旋回と固定スクロールの歯先やオルダムリングなどの摺動部の摩耗が非常に少ないことがわかった。また、ジフルオロメタンとの低温相溶性が優れているために、解体後の圧縮機内部には十分な油量が残されており、ジフルオロメタンとの低温相溶性が優れていたためと推定する。また、冷凍機油の劣化判断として、全酸価を滴定法、添加剤残存量をガスクロマトグラフィーにおいて測定した。試験後の全酸価は、０．０１ｍｇＫＯＨ／ｇであり、新油と同じ値を示した。酸捕捉剤の残存量が５０％以上で、酸化防止剤と極圧添加剤に関しては約９０％残存しており、問題がないことを確認した。
（比較例８）
また、比較として実施例３と同条件において、冷凍機油のみ比較例６で用いたポリオールエステル油を用いて試験を実施した。この冷凍機油の添加剤には、エポキシ系酸捕捉剤を０．５重量％、酸捕捉剤としてＤＢＰＣ（２，６−ジ−ｔ−ブチル−ｐ−クレゾール）を０．２５重量％、極圧添加剤としてトリクレジルホスフェートを１．０重量％配合した。
【００３３】
比較例８では、主軸受と副軸受の転がり軸受の内輪軌道面にフレーキング痕が見られ、さらにその他の摺動部の摩耗が増加していた。また、試験後の全酸価も０．０８ｍｇＫＯＨ／ｇと増加しており、酸捕捉剤の残存量が約２０％まで減少した。
〔実施例４〕
本実施例は、固定スクロール部材と旋回スクロール部材、並びにフレームに高強度で耐摩耗性に優れた１０〜１２％のシリコンを含有しアルミニウムが主成分のアルミニウム−シリコン共晶系合金を用いたスクロール式密閉型圧縮機において、５００時間における実施例３と同様な試験を実施したものである。このアルミニウムシリコン合金部材には、表面処理を施していない。
【００３４】
この試験の結果、本実施例では、表面処理を施していないにもかかわらず、アルミニウムシリコン合金部材において、トライボケミカル反応に起因する大きな摩耗は進行していなかった。また、冷凍機油の全酸価も０．０１ｍｇＫＯＨ／ｇと増加がなかった。
（比較例９）
また、実施例４のスクロール式密閉型圧縮機を用いて、比較例８と同じ冷凍機油を封入して実施例４と同様の試験を行った。
【００３５】
比較例９では、アルミニウムシリコン部材同士の摩擦により、トライボケミカル反応が促進され、摩耗が増加して、７２時間で試験を中断した。冷凍機油の全酸価も０．５３ｍｇＫＯＨ／ｇと大幅に増加して劣化が進んでいた。
【００３６】
以上の本実施例の冷凍機油であれば、環境負荷が小さいジフルオロメタンを用いた場合に、圧縮機摺動部材の摩耗を抑制し、転がり軸受の疲労寿命を向上させることがわかった。また、更にスクロールやフレーム等の摺動部材にアルミニウム合金を用いた場合に、部材同士の摩擦によってもトライボケミカル反応が生じにくく、部材の摩耗を抑制することができることがわかった。スクロールにおいては、固定スクロール部材と旋回スクロール部材の少なくとも一方がアルミニウム合金であれば、双方の摩耗を抑制することができる。空調装置のみではなく、図２に示す冷凍機においても同様の効果が得られた。
【符号の説明】
【００３７】
１：室外機
２：室内機
３：圧縮機
４：四方弁
５：室外熱交換器
６：膨張手段
７：室内熱交換器
８：アキュムレータ
９：室外機
１０：クーラーユニット
１１：圧縮機
１２：凝縮器
１３：過冷却器
１４：膨張手段
１５：蒸発器
１６：アキュムレータ
１７：膨張手段
１８：渦巻状ラップ
１９：固定スクロール部材
２０：ラップ
２１：旋回スクロール部材
２２：フレーム
２３：クランクシャフト
２４：電動モータ
２５：圧力容器
２６：圧縮室
２７：吐出口
２８：吐出パイプ
２９：油溜め部２９
３０：油孔
３１：主軸受
３２：副軸受
【図１】
0006522345.tif 000003
【図２】
0006522345.tif 000004
【図３】
0006522345.tif 000005